(57)【要約】【課題】運転者が搭乗した状態で全高が低く、かつ多くの土量を処理できる機体の大きい土工作業車を提供する。【解決手段】土工作業車が、下部走行体と、下部走行体上に鉛直軸線を中心に旋回作動を自在に取り付けた平面状の上面を有した旋回台と、旋回台の上面の一側に突設した動力室と、旋回台の上面の他側の周縁部に上下方向に揺動作動を自在に取り付けた作業腕体と、作業腕体と動力室の間の旋回台の上面に設置された運転座と、旋回台の周縁の作業腕体の両側に設置した運転者用の足場を備える。【選択図】図１
2007039893.tif 000002
【特許請求の範囲】
【請求項１】
下部走行体と、
下部走行体上に鉛直軸線を中心に旋回作動を自在に取り付けられた平面状の上面を有した旋回台と、
旋回台の上面の一側に突設された動力室と、
旋回台の上面の他側の周縁部に上下方向に揺動作動を自在に取り付けられた作業腕体と、
作業腕体と動力室の間の旋回台の上面に設置された運転座と、
旋回台の周縁の作業腕体の両側に設置された運転者用の足場と
を備えている、ことを特徴とする土工作業車。
【発明の詳細な説明】
【技術分野】
【０００１】
本発明は、果樹園の棚下など高さ制限のある場所で稼働するのに好適な土工作業車に関する。
【背景技術】
【０００２】
果樹園の棚下、あるいは地下空間など、高さ制限のある場所で、土砂の移動、溝掘り、埋め戻しなどの土工作業を遂行する土工作業車として、例えば超小型ショベルカーがある（例えば、特許文献１参照）。
【特許文献１】特開平４−１４０３２４号公報（第１図）
【発明の開示】
【発明が解決しようとする課題】
【０００３】
上述した従来の土工作業車には、しかしながら次のとおりの解決すべき課題がある。
【０００４】
すなわち、超小型ショベルカーのような土工作業車は、機体そのものの高さは低いが、運転者がその上に搭乗した状態において運転者の頭の位置で規定される全高が高くなる。したがって、機体の大きさが制限され小さいので、多くの土量を効率よく処理するのが難しい。
【０００５】
本発明は上記事実に鑑みてなされたもので、その技術的課題は、運転者が搭乗した状態で全高が低く、かつ多くの土量を処理することができる機体の大きい、土工作業車を提供することである。
【課題を解決するための手段】
【０００６】
本発明によれば上記技術的課題を解決する土工作業車として、下部走行体と、下部走行体上に鉛直軸線を中心に旋回作動を自在に取り付けられた平面状の上面を有した旋回台と、旋回台の上面の一側に突設された動力室と、旋回台の上面の他側の周縁部に上下方向に揺動作動を自在に取り付けられた作業腕体と、作業腕体と動力室の間の旋回台の上面に設置された運転座と、旋回台の周縁の作業腕体の両側に設置された運転者用の足場とを備えている、ことを特徴とする土工作業車が提供される。
【発明の効果】
【０００７】
本発明に従って構成された土工作業車は、下部走行体上に旋回作動を自在に取り付けられた、平面状の上面を有した旋回台を備え、この旋回台に作業腕体および動力室を備え、かつ旋回台の平面状の上面に運転座、そして旋回台の周縁の作業腕体の両側に運転者の足場を備えている。したがって、運転者は旋回台の上面に着座し、足を周縁の足場に置いた状態で搭乗するので、運転者の頭により規定される全高を低くすることができ、かつ機体の大きさは旋回台の上面までの高さが制限される以外は大きく形成できるので、多くの土量を処理することができる。
【発明を実施するための最良の形態】
【０００８】
以下、本発明に従って構成された土工作業車について、好適実施形態を図示している添付図面を参照して、さらに詳細に説明する。
【０００９】
図１および図２を参照して説明する。番号２で示す土工作業車は、左右一対の履帯４、４を有した下部走行体６と、下部走行体６上に鉛直軸線８を中心に旋回作動を自在に取り付けられた平面状の上面Ｆを有した旋回台１０と、旋回台１０の上面Ｆの一側に突設された動力室１２と、旋回台１０の上面Ｆの他側の周縁部に上下方向に揺動作動を自在に取り付けられた作業腕体１４と、作業腕体１４と動力室１２の間の旋回台１０の上面Ｆに設置された運転座１６と、旋回台１０の周縁の作業腕体１４の両側に設置された運転者用の足場１８、１８を備えている。
【００１０】
一対の履帯４、４の外側幅Ｗによって土工作業車２の車幅が規定されている。一対の履帯４、４の間の下部走行体６の一側には、突出して排土装置２０が上下方向に昇降作動を自在に取り付けられている。排土装置２０は履帯４の外側幅Ｗと実質上同じ幅の排土板２０ａを備えている。
【００１１】
旋回台１０は、下部走行体６上に旋回軸受および旋回駆動手段（何れも図示していない）を介して取り付けられている。旋回台１０の上面Ｆは地上Ｇから高さＨ１に位置付けられている。旋回台１０の周縁は、外側幅Ｗの半分と略同じ寸法の半径Ｒにより鉛直軸線８を中心に略円筒状に形成されている。
【００１２】
動力室１２は、旋回台１０の上面Ｆの略半分を占め、旋回台１０の半径Ｒの周縁と略同じ周縁を有した半月断面の筒状に形成されており、動力室１２の上端により土工作業車２自体の地上Ｇからの高さＨ２が規定されている。動力室１２には、エンジン、油圧装置、燃料タンクなどの、土工作業車２を作動させるための駆動動力装置が収容されている。
【００１３】
作業腕体１４は、旋回台１０に上下方向に揺動自在に取り付けられたブーム１４ａ、ブーム１４ａの先端に上下方向に揺動自在に取り付けられたアーム１４ｂ、アーム１４ｂの先端に上下方向に揺動自在に取り付けられたバケット１４ｃ、旋回台１０とブーム１４ａの間に介在されたブーム駆動シリンダ１４ｄ、ブーム１４ａとアーム１４ｂの間に介在されたアーム駆動シリンダ１４ｅ、およびアーム１４ｂとバケット１４ｃの間に介在されたバケット駆動シリンダ１４ｆを備えている。
【００１４】
運転座１６は、旋回台１０の上面Ｆの作業腕体１４の近くに設置されている。この運転座席１６に隣接して動力室１２の壁面には脊当て１７が取り付けられている。足場１８、１８は、旋回台１０の周縁の作業腕体１４の基部を覆う断面Ｕ字状のカバー２２の両側の下方部分である旋回台１０の下端側部分に、それぞれ設置されている。足場１８は、滑り止め用の格子を備え矩形平面状に形成されている。
【００１５】
土工作業車２を操縦する操縦レバー２４が、運転座１６の前方に上面Ｆに立設して、また運転座１６の左右に動力室１２の壁面に立設して、それぞれ備えられている。
【００１６】
かくして、土工車両２を操縦操作する運転者Ｐは、運転座１６に着座し、左右の足を、作業腕体１４を跨いで両側の足場１８，１８それぞれの上に置き搭乗する。そして、地上Ｇから運転者Ｐの頭の上までの高さは、動力室１２の上端までの高さＨ２より高い高さＨ３に位置している。
【００１７】
図１および図２を参照して、上述したとおりの土工作業車２の作用について説明する。
【００１８】
本発明に従って構成された土工作業車２は、下部走行体６上に旋回作動を自在に取り付けられた、平面状の上面Ｆを有した旋回台１０を備え、この旋回台１０に作業腕体１４および動力室１２を備え、かつ旋回台１０の上面Ｆに運転座１６、そして旋回台１０の周縁の作業腕体１４の両側に運転者Ｐの足場１８を備えている。したがって、運転者Ｐは旋回台１０の上面Ｆに着座し、足を周縁の足場１８の上に置いた状態で搭乗するので、運転者Ｐの頭により規定される全高Ｈ３を低くすることができ、かつ機体の大きさは旋回台１０の上面Ｆまでの高さを小さくするように考慮する以外は大きく形成することができる。
【００１９】
そして、任意の大きさの作業腕体１４および排土装置２０の設置が可能であるので、また作業腕体１４は旋回台１０に取り付けられており旋回台１０とともに旋回させることができるので、多くの土量を容易に処理することができる。
【図面の簡単な説明】
【００２０】
【図１】本発明に従って構成された土工作業車の側面図。
【図２】図１の土工作業車の平面図。
【符号の説明】
【００２１】
２：土工作業車
６：下部走行体
８：鉛直軸線
１０：旋回台
１２：動力室
１４：作業腕体
１６：運転座
１８：足場
Ｆ：上面
【図１】
2007039893.tif 000003
【図２】
2007039893.tif 000004